(57)【特許請求の範囲】
【請求項１】
プラスチックフィルムをヒートシールして形成したノズル部を有する包装袋において、ノズル部の中央に該ノズル部を越えて包装袋の内方に向かう中央山折り線を設け、該中央山折り線の上端から山折り傾斜線を、該中央山折り線の下端から折り傾斜線を、それぞれ鋭角をなしてノズル部の側端部に向かうように設けたことを特徴とする注出機能付き包装袋。
【請求項２】
折り傾斜線が山折り傾斜線であることを特徴とする請求項１に記載の注出機能付き包装袋。
【請求項３】
折り傾斜線が谷折り傾斜線であることを特徴とする請求項１に記載の注出機能付き包装袋。
【請求項４】
プラスチックフィルムをヒートシールして形成したノズル部を有する包装袋において、ノズル部の中央に膨らみ部を設け、該膨らみ部の包装袋の内側寄りに、ノズル部の根元部あるいはその近傍から包装袋の内方に向かう山折り線を設けたことを特徴とする注出機能付き包装袋。
【発明の詳細な説明】
【０００１】
【発明の属する技術分野】
本発明は、調味料、化粧品、洗剤等の内容物を取り出すためノズル部を設けた注出機能付き包装袋に関し、特に、高粘度の内容物を取り出すための注出機能付き包装袋に関する。
【０００２】
【従来の技術】
購入後、プラスチックボトル、ガラス瓶、あるいは他の容器に詰め替える調味料、化粧品、洗剤等に用いられる包装袋としては、内容物の取り出しが容易で、最後まで安定した流れを保ちながら取り出すことができるものが求められている。そして、このような包装袋として、開口部に折目線を設けた包装袋（特開平１０−１２９６８３）が提案されている。
【０００３】
【発明が解決しようとする課題】
しかしながら、上記した開口部に折目線を設けた包装袋は、開封後、内容物を取り出す際に包装袋に押圧力を加えると、開口部を折目線によって容易に開口することはできるが、その開口状態が安定せず、また、開口後の開口状態を保つことはできないといった問題がある。さらに、包装袋への押圧力を弱めたり中止すると、開口部が狭くなったり、あるいは、閉じてしまい、内容物の注出が困難になるといった問題がある。
【０００４】
従って、本発明の目的は、包装袋のノズル部を開封して内容物を注出する際に、該ノズル部を容易に開口状態を安定させながら大きく開口し、開口後はその開口状態を保って、内容物の注出を最後まで確実に安定して行うことのできる、特に、高粘度の内容物の注出に適した包装袋を提供することにある。
【０００５】
【課題を解決するための手段】
１．プラスチックフィルムをヒートシールして形成したノズル部を有する包装袋において、ノズル部の中央に該ノズル部を越えて包装袋の内方に向かう中央山折り線を設け、該中央山折り線の上端から山折り傾斜線を、該中央山折り線の下端から折り傾斜線を、それぞれ鋭角をなしてノズル部の側端部に向かうように設けたことを特徴とする注出機能付き包装袋。
２．折り傾斜線が山折り傾斜線であることを特徴とする１に記載の注出機能付き包装袋。
３．折り傾斜線が谷折り傾斜線であることを特徴とする１に記載の注出機能付き包装袋。
４．プラスチックフィルムをヒートシールして形成したノズル部を有する包装袋において、ノズル部の中央に膨らみ部を設け、該膨らみ部の包装袋の内側寄りに、ノズル部の根元部あるいはその近傍から包装袋の内方に向かう山折り線を設けたことを特徴とする注出機能付き包装袋。
なお、本発明において、山折り線とは包装袋の外側に向けて凸の折り線を、また谷折り線とは包装袋の内側に向けて凸の折り線を意味する。
【０００６】
【発明の実施の形態】
本発明の包装袋に使用するプラスチックフィルムの材料としては特に制限はない。
プラスチックフィルムを構成するのに適したプラスチック材料としては、例えば結晶性ポリプロピレン、結晶性プロピレン−エチレン共重合体、結晶性ポリブテン−１、結晶性ポリ４−メチルペンテン−１、低−、中−、或いは高密度ポリエチレン、エチレン−酢酸ビニル共重合体（ＥＶＡ）、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；アクリロニトリル−スチレン共重合体、アクリロニトリル−スチレン−ブタジエン共重合体の如きニトリル重合体；ナイロン６、ナイロン６６、パラまたはメタキシリレンアジパミドの如きポリアミド類；ポリエチレンテレフタレート、ポリテトラメチレンテレフタレート等のポリエステル類；各種ポリカーボネート；ポリオキシメチレン等のポリアセタール類等の熱可塑性樹脂を挙げることができる。
これらの材料からなるプラスチックフィルムは、未延伸、一軸延伸、或いは二軸延伸して用いられる。
【０００７】
本発明の包装袋に使用するプラスチックフィルムは、これらのプラスチックフィルムを単層で、或いは、二種以上を積層して構成することができ、また、これらのプラスチックフィルムの一種、或いは、二種以上と、アルミニウム等の金属箔、紙、セロファン等を貼合わせて構成することもできる。
好ましいプラスチックフィルムとしては、例えば、延伸ナイロンフィルムを外層とし、低密度ポリエチレン、ポリプロピレン等のポリオレフィンフィルムを内層とする二層構成、延伸ポリエステルフィルムを外層とし、ポリオレフィンフィルムを内層とする二層構成、及びこれらの内、外層フィルム間にアルミニウム等の金属箔を積層した三層構成のフィルム等が挙げられ、これらの積層フィルムの製造に際しては、各層間に必要に応じて接着剤、アンカー剤を介在させることもできる。
【０００８】
そして、上記プラスチックフィルムの層構成は、包装袋に充填する内容物の性状に応じて選択され、例えば、詰替洗剤用の包装袋のように低コストが要求される場合は、二層構成の積層フィルムを使用し、調味料の包装袋のように保存性が要求される場合は、アルミニウム箔を含む三層構成以上の積層フィルムを使用すれば良い。
【０００９】
また、本発明の包装袋では、包装袋の上方にノズル部を設けるが、このノズル部は図３に示すように包装袋の上方のコーナー部に設けることが好ましいが、包装袋の上方の中央部に設けるようにしても良い。該ノズル部の形状、寸法は、注出する内容物の性状、包装袋の寸法に応じて適宜設定すれば良い。
【００１０】
本願の請求項１〜３に記載された発明（以下、「第１発明という」）の包装袋は、ノズル部の中央に、該ノズル部を越えて包装袋の内方に向かう中央山折り線を設け、該中央山折り線の上端から山折り傾斜線を、該中央山折り線の下端から折り傾斜線を、それぞれ鋭角をなして該ノズル部の側端部に向かうように設けるが、この中央山折り線、山折り傾斜線、及び折り傾斜線は少なくともノズル部の片面、好ましくは両面に設ける。
【００１１】
この中央山折り線、山折り傾斜線、及び折り傾斜線を設けることによって、包装袋を開封して内容物を注出する際に、包装袋への押圧力、包装袋内の内容物の自重による包装袋のノズル部近傍に外方への変形、歪みが生じるが、この変形、あるいは、歪みの作用力が、折り傾斜線、中央山折り線、山折り傾斜線に順次作用してノズル部に集中してその幅を狭め、ノズル部を容易に瞬時に押し拡げて、折れ曲がりを防止しながら内容物の取り出しが容易で、確実に行われるようにする。
特に、ノズル部先端部側の山折り傾斜線によって、開口部がより一層幅が狭くなり、容易に大きく押し拡がり、その開口状態が安定し、閉塞することなくその開口状態を保持し、安定した注出状態を保つことができる。
【００１２】
また、本願の第１発明の包装袋は、上記中央山折り線の下端に設けられる折り傾斜線が山折り傾斜線であると、上記変形、あるいは、歪みの作用が直接該中央山折り線へ働き、ノズル部の幅を狭めて瞬時に押し拡げ、折れ曲がりを防止しながら内容物の取り出しが容易で、確実に行われる。
さらに、本願の第１発明の包装袋は、上記中央山折り線の下端に設けられる折り傾斜線が谷折り傾斜線であると、谷折り傾斜線が包装袋の内方へ凸出し、ノズル部の包材が反転して、中央山折り線が外方へ凸出して、ノズル部の幅を狭めて瞬時に押し拡げ、折れ曲がりを防止しながら内容物の取り出しが容易で、確実に行われる。
そして、本願の第１発明の包装袋は、積み重ねて輸送や保管する際に嵩張らず、荷崩れを防止できると共に余分なスペースを必要としない。
【００１３】
本願の請求項４に記載した発明（以下、「第２発明」という）の包装袋は、ノズル部の中央に膨らみ部を設け、該膨らみ部の包装袋の内側寄りに、ノズル部の根元部あるいはその近傍から包装袋の内方に向かう山折り線を設けるが、この膨らみ部及び山折り線は少なくともノズル部の片面、好ましくは両面に設ける。
この膨らみ部及び山折り線を設けることによって、包装袋を開封して内容物を注出する際に、包装袋への押圧力、包装袋内の内容物の自重による包装袋のノズル部の根元部近傍に外方への変形、歪みを生じる。この変形、あるいは歪みの作用力により山折り線は包装袋の外方へ凸出し、膨らみ部底辺は内方へ凸出し、膨らみ部の包材は反転して外方へ凸出して更に押し拡がり、折れ曲がりを防止しながら、膨らみ部がより一層容易に大きく押し拡がるため、その開口状態が安定し、閉塞することなくその開口状態を保持し、安定した注出状態を保つことができ、より一層内容物の注出が容易で、確実に行われる。
【００１４】
上記した第１発明の包装袋の中央山折り線、山折り傾斜線、及び折り傾斜線、第２発明の包装袋の膨らみ部及び山折り線を設けるには、いずれも、包装袋を構成するプラスチックフィルムに、ヒーター加熱や高周波加熱した治具を型押しして形成するのが好ましいが、プラスチックフィルムを製袋前に加熱し、所望形状の治具を型押しして形成しても良い。
そして、これらの折り線は、連続する線で構成しても良く、また、不連続な線として構成しても良いが、包装袋のノズル部を容易に確実に押し拡げるためには、連続する線で構成するのが好ましい。
【００１５】
さらに、上記第１発明及び第２発明の包装袋のノズル部には、包装袋の開封を容易にするために易開封加工部を設けることができる。このような易開封加工部としては、例えば、ノズル部に形成するＩ型、Ｖ型のノッチ、ノズル部を横断するミシン目やスコア、その他の薄肉化加工部が挙げられ、加工方法としては、レーザー加工、刃物、砥石等による機械加工、コロナ放電やプラズマ放電等の放電加工が挙げられる。
また、本発明の包装袋の形状は特に制限はなく、例えば、三方シールや四方シールの平袋、スタンディングパウチ等が挙げられる。
【００１６】
次に、図面に基づいて本発明の包装袋を、さらに詳細に説明するが、これらの具体例は本願の内容を限定するものではない。
図１は、本願の第１発明の包装袋の１例を示す部分拡大図で、ノズル部（３）を開封した状態を示し、図２は図１のＣ−Ｃ線における断面模式図である。
図１に示すように、包装袋（１１）のノズル部（３）の中央に、上記ノズル部（３）を越え、包装袋の内方に向かう中央山折り線（１７）を設けている。また、中央山折り線（１７）の上端から山折り傾斜線（１２）を、中央山折り線（１７）の下端から折り傾斜線（１３）を、それぞれ鋭角をなして、ノズル部（３）の側端部に向かって設ける。そして、上記山折り傾斜線（１２）を設けることにより、開封されたノズル部（３）及びその注出先端部の近傍が図２に矢印で示したように押し拡がり、より一層容易にノズル部（３）及びその開口部の近傍を押し拡げることが可能となる。
尚、上記山折り傾斜線（１２）及び折り傾斜線（１３）は、それぞれノズル部（３）の根元側端部に向かって設けても良い。
【００１７】
この包装袋（１１）を用いた内容物の注出に当たっては、包装袋（１１）を逆さまにし、プラスチックボトル等の他の詰替容器に、該包装袋（１１）のノズル部（３）を差し込んで内容物を注出する。この時、包装袋（１１）への押圧力、内容物の自重によって、ノズル部（３）の根元部の近傍に変形、歪みを生じる。この変形、歪みの作用力が、折り傾斜線（１３）、中央山折り線（１７）及び山折り傾斜線（１２）に順次作用してノズル部（３）に集中し、ノズル部（３）を瞬時に押し拡げて内容物の取り出しを容易に、かつ確実に行うことが可能となる。
尚、中央山折り線（１７）の下端からノズル部（３）の根元側端部近傍に向かう折り傾斜線（１３）は、山折り、あるいは、谷折りのいずれでも良い。
【００１８】
図３は、本願の第２発明の包装袋を示す図で、ノズル部（３）を開封した状態を示し、図４は図３のＤ−Ｄ線における断面模式図であり、上記した第１発明と同一の構成については、同じ符号を付した。
この例では図３に示すように、包装袋（２１）のノズル部（３）の中央に、膨らみ部（２５）を設け、該膨らみ部（２５）の下方に、ノズル部（３）の根元部から包装袋（２１）の内方に向かう山折り線（２６）を設けている。この山折り線（２６）は、ノズル部（３）の根元部近傍から設けても良い。
この包装袋（２１）を用いた際の内容物の注出に当たっては、上記した第１発明の包装袋と同様に、包装袋（２１）を逆さまにし、プラスチックボトル等の他の詰替容器に包装袋（２１）のノズル部（３）を差し込んで内容物を注出する。
この時、包装袋（２１）への押圧力、内容物の自重によって、ノズル部（３）根元部近傍に変形、歪みを生じる。この変形、あるいは歪みの作用力は、山折り線（２６）を介して膨らみ部（２５）が設けられたノズル部（３）に集中し、該ノズル部（３）の膨らみ部（２５）をさらに押し拡げて、より一層内容物の取り出しが容易となり、その開口状態の保持も行うことが可能となる。
【００１９】
【発明の効果】
本発明の包装袋によれば、包装袋のノズル部を開封して内容物を注出する際に、ノズル部の根元部近傍で生じる変形、或いは、歪みの作用力を利用してノズル部を押し拡げて大きな開口部を形成し、高粘度の内容物であっても、ノズル部の折れ曲がりを防止しながら、その注出を容易とし、最後まで安定した流れを保って確実に、且つ、迅速に内容物の注出を行うことが可能となる。
また、包装袋から他の詰替容器への内容物の注出が進むに連れて、包装袋の内容物が減少し、包装袋への押圧力、包装体内の内容物の自重による変形、歪みの作用力が弱くなるが、この際も、包装袋のノズル部の開口状態は保たれ、閉塞することはない。
さらに、本願の第１発明によれば、積み重ねて輸送や搬送する際に、嵩張ることがなく、荷崩れや余分なスペースを必要としない。
【図面の簡単な説明】
【図１】本願の第１発明における包装袋の１例を示す部分拡大図である。
【図２】図１のＣ−Ｃ線における断面模式図である。
【図３】本願の第２発明における包装袋の正面図である。
【図４】注出時の図３のＤ−Ｄ線における断面模式図である。
【符号の説明】
１１、２１      包装袋
３              ノズル部
１２            山折り傾斜線
１３            折り傾斜線
１７            中央山折り線
２５            膨らみ部
２６            山折り線
【図１】
0004192506.tif 000002
【図２】
0004192506.tif 000003
【図３】
0004192506.tif 000004
【図４】
0004192506.tif 000005